(57)【特許請求の範囲】
【請求項１】
フェンスの隣接する支柱間の一部を両側から枠状の固定具で挟んで固定し、前記固定具を固定してから前記固定具で囲まれた部分の除去対象金網を切断除去して進入用開口部を形成し、前記形成した進入用開口部に開閉可能な扉体を取り付けることを特徴とするフェンス用扉の取付方法。
【請求項２】
前記扉体を前記固定具に回動可能に取り付けることを特徴とする請求項１に記載のフェンス用扉の取付方法。
【請求項３】
前記扉体に操作用開口部を設けることを特徴とする請求項１又は請求項２に記載のフェンス用扉の取付方法。
【発明の詳細な説明】
【技術分野】
【０００１】
本発明は、高速道路の敷地境界線上に設置される立入防止用フェンスや、耕作地の敷地境界上に設置される野生動物侵入防止用フェンス等において、これらのフェンスを通過するためのフェンス用扉及びその取付方法に関するものである。
【背景技術】
【０００２】
従来、高速道路の法面等の点検作業は、高速道路敷地外から敷地内に進入して行っているが、その際、敷地境界線上には、例えば図１０に示すような立入防止用のフェンスが設置されており、これを通過しなければならない。図１０に示すフェンスは、２メートル程度の間隔を空けて基礎４を介して立設された支柱１，１の上下に、横架材２，３を架け渡し、横架材２，３の間に金網５を張り巡らした、高さ１．４メートル程度のものである。
【０００３】
このような立入防止用のフェンスを通過するために、図１１に示すような管理用扉９が適宜設置されている。図１１に示す管理用扉９は、支柱１，１の間に、基礎４’を介して支柱１’を立設し、支柱１と支柱１’の間に開閉可能に取り付けたものである。
【０００４】
一方、特許文献１には、立ち入り防止柵としての金網型フェンスを、道路管理を行うために業務上乗り越える場合に使用するフェンス用携帯足場に関する発明が記載されている。また、特許文献２には、入り口等が設定できる組立式フェンスに関する発明が記載されている。また、特許文献３には、長距離の野生動物進入防止用フェンスにおいて、簡便に形成することのできる出入口開閉扉に関する発明が記載されている。
【先行技術文献】
【特許文献】
【０００５】
【特許文献１】実用新案登録第３０６００１８号公報
【特許文献２】実開平６−６６４１号公報
【特許文献３】特開２０１０−３１５７１号公報
【発明の概要】
【発明が解決しようとする課題】
【０００６】
しかしながら、図１１に示すような管理用扉９は、必ずしも点検箇所付近に設置されているとは限らず、管理用扉９が遠くにある場合には、フェンスを乗り越えなければならないが、機材等もあり乗り越えるためには多大な労力が必要である。また鹿の侵入を防止する必要のある区間など、フェンスの高さが例えば２．５メートルもある場合には、乗り越えることもできない。
【０００７】
また、管理用扉９を新たに取り付ける場合には、既設金網を撤去し、基礎４’・支柱１’を追加設置してから、新たに管理用扉９を取り付ける必要があり、追加部材の材料費等の問題や、モルタルの養生期間等の工期の問題がある。
【０００８】
一方、特許文献１に記載されたフェンス用携帯足場を用いてフェンスを乗り越えることはできるが、乗り越えるための労力はやはり必要である。
【０００９】
また、特許文献２に記載された組立式フェンスは、入り口等を設定するための特殊なブロック等が必要であり、既に設置された立入防止用のフェンスに対してそのまま適用することはできない。
【００１０】
また、特許文献３に記載された出入口扉は、隣接する支柱の間のフェンス全体を切り取って出入口を形成するものであり、追加部材の材料費等の問題を解決することはできない。
【００１１】
このような問題は、高速道路の敷地境界線上に設置される立入防止用フェンスに限らず、耕作地の敷地境界上に設置される野生動物侵入防止用フェンス等、長距離に亘って設置されるフェンスについて同様に発生する問題であり、既存のフェンスのどこにでも容易に形成することのできる扉が求められている。
【００１２】
本発明は、上記従来の課題を解決するものであり、長距離に亘って設置されるフェンスを通過するためのフェンス用扉を、低コスト・短工期で取り付けることを可能にし、既存のフェンスのどこにでも容易に扉を形成できるようにしたものである。
【課題を解決するための手段】
【００１３】
本発明のフェンス用扉は、フェンスの隣接する支柱間の一部を除去して形成された進入用開口部の周縁を固定する枠状の固定具と、前記進入用開口部に取り付けられた開閉可能な扉体とを有することを特徴とする。
【００１４】
また好ましくは、前記扉体を前記固定具に回動可能に取り付けたことを特徴とする。
【００１５】
また好ましくは、前記扉体に操作用開口部を設けたことを特徴とする。
【００１６】
また本発明のフェンス用扉の取付方法は、フェンスの隣接する支柱間の一部を両側から枠状の固定具で挟んで固定し、前記固定具で囲まれた部分を除去して進入用開口部を形成し、前記形成した進入用開口部に開閉可能な扉体を取り付けることを特徴とする。
【発明の効果】
【００１７】
本発明のフェンス用扉は、フェンスの隣接する支柱間の一部を除去して形成された進入用開口部の周縁を固定する枠状の固定具と、進入用開口部に取り付けられた開閉可能な扉体とを有しているので、進入用の扉を形成するにあたって、隣接する支柱間の全体を除去する必要がなく、既存のフェンスの部材を有効利用することができる。また、支柱を追加設置する必要がないため、追加部材の材料費等を低減することができ、工期も短縮することができる。
【００１８】
また、扉体を固定具に回動可能に取り付けた場合には、扉体を回動させることにより容易に進入用開口部を開閉することができる。
【００１９】
また、扉体に操作用開口部を設けた場合には、操作用開口部に腕を通すことにより、扉体が開かないようにするための掛金や閂、鍵等をフェンスの両側から操作することができるので、フェンスの両側から開閉の可否をコントロールすることができる。
【００２０】
また本発明のフェンス用扉の取付方法は、フェンスの隣接する支柱間の一部を両側から枠状の固定具で挟んで固定し、固定具で囲まれた部分を除去して進入用開口部を形成し、形成した進入用開口部に開閉可能な扉体を取り付けるので、進入用開口部を形成するために除去する部分を、固定具で囲むことにより特定して容易に除去することができる。
【００２１】
以上、本発明によれば、長距離に亘って設置されるフェンスを通過するためのフェンス用扉を、低コスト・短工期で取り付けることができる。従って、既存のフェンスのどこにでも容易に扉を形成することができる。
【図面の簡単な説明】
【００２２】
【図１】本発明の実施形態に係るフェンス用扉を取り付けたフェンスを示す正面図である。
【図２】フェンス用扉を取り付けた部分を示す拡大正面図（側道側）である。
【図３】フェンス用扉の取り付けた部分を示す拡大背面図（本線側）である。
【図４】固定具（側道側）を示す図である。
【図５】固定具（本線側）を示す図である。
【図６】固定具（側道側）と固定具（本線側）の締結部分を示す拡大平面図である。
【図７】他の実施形態に係る固定具（側道側）を示す図である。
【図８】扉体を示す図である。
【図９】フェンス用扉の取付方法を示す図である。
【図１０】従来例に係るフェンスを示す正面図である。
【図１１】従来例に係る管理用扉を取り付けたフェンスを示す正面図である。
【発明を実施するための形態】
【００２３】
次に、図１乃至図９を参照して、本発明の実施形態に係るフェンス用扉及びその取付方法について説明する。まず、図１乃至図８を参照して、本実施形態に係るフェンス用扉１００の構成について説明する。
【００２４】
図１は、フェンス用扉１００を取り付けたフェンスを示す正面図である。フェンス用扉１００は、高速道路の敷地境界線上に設置される立入防止用フェンスに取り付けられるものである。立入防止用フェンスは、２メートル程度の間隔を空けて基礎４を介して立設された支柱１，１の上下に、横架材２，３を架け渡し、横架材２，３の間に金網５を張り巡らした、高さ１．４メートル程度のものである。
【００２５】
立入防止用フェンスを構成する支柱１，１の間に張り巡らされた金網５の一部には、作業員が出入するための進入用開口部７が形成されている。進入用開口部７は、例えば、一辺が６０センチ程度の矩形状であって、作業員が潜り抜けることのできるほどの大きさである。フェンス用扉１００は、進入用開口部７を塞ぐように取り付けられており、開閉可能になっている。なお、本実施形態では、進入用開口部７が支柱１に隣接しているが、支柱１から離れた位置に進入用開口部７を設けるようにしてもよい。ただし、後述するように固定具の取付位置の問題から、支柱１に隣接して設けることが好ましい。
【００２６】
図２及び図３は、フェンス用扉１００を取り付けた部分を示す拡大正面図及び拡大背面図である。図２（正面図）は高速道路の側道側（敷地外）から見た図に相当し、図３（背面図）は高速道路の本線側（敷地内）から見た図に相当する。なお、本実施形態では、側道側（敷地外）から見た図を正面図とし、本線側（敷地内）から見た図を背面図として説明するが、設置の向きは特に限定されるものではなく、以下の構成部材について側道側と本線側を逆にして設置してもよい。ただし、扉体が開かないようにするために設けられる掛金や閂、鍵等（詳細は後述）は、側道側に配置されるのが通常である。
【００２７】
フェンス用扉１００は、固定具１０、固定具２０及び扉体３０から構成されている。固定具１０及び固定具２０は、金網５に形成された進入用開口部７の周縁を、両側（金網５の表裏）から挟んで固定するための枠状部材である。
【００２８】
図４は、側道側に配置される固定具１０を示す図である。固定具１０は、６つの板状部材１０ａ，１０ｂ，１０ｃ，１０ｄ，１０ｅ，１０ｆから構成されている。取付前の各板状部材は分離しており、図２及び図３に示す取付状態では、板状部材１０ａ，１０ｂが上辺、板状部材１０ｃ，１０ｄが下辺、板状部材１０ｅ，１０ｆが両側辺となる。
【００２９】
図５は、本線側に配置される固定具２０を示す図である。固定具２０は、１つの板状部材から構成されている。ここで、図５に示すように、固定具２０の上辺を２０ａ，２０ｂ、下辺を２０ｃ，２０ｄ、両側辺を２０ｅ，２０ｆの各部位とする。図２及び図３に示す取付状態では、固定具１０の板状部材１０ａ，１０ｂ，１０ｃ，１０ｄ，１０ｅ，１０ｆが、それぞれ固定具２０の２０ａ，２０ｂ，２０ｃ，２０ｄ，２０ｅ，２０ｆの各部位に対応して固定される。そして、固定具１０，２０により、進入用開口部７の周縁が両側から固定されるようになっている。
【００３０】
固定具１０と固定具２０は、例えば複数のボルト、ナットにより、対応する部材・部位同士を両側から締め付けて固定することができる。図６は、固定具１０と固定具２０の締結部分を示す拡大平面図であり、支柱１への取付部分の近傍を示すものである。固定具１０と固定具２０は、複数のボルト４０、ナット５０によりフェンスの両側から締め付けられて固定されている。そして、固定具１０の板状部材１０ｂと、固定具２０の部位２０ｂとで支柱１を挟み込むようにして締結することにより、固定具１０，２０を支柱１に取り付けるようになっている。なお、固定具１０，２０は必ずしも支柱１に取り付ける必要はないが、支柱１に取り付けることにより、より強固に取り付けることができる。
【００３１】
また、図４に示す固定具１０は、６つの板状部材１０ａ，１０ｂ，１０ｃ，１０ｄ，１０ｅ，１０ｆから構成されているが、図７に示す固定具１０’のように、板状部材１０ａ，１０ｃ，１０ｅ，１０ｆを一体化して１つの板状部材として構成することもできる。
【００３２】
図８は、進入用開口部７を覆う扉体３０を示す図である。扉体３０は矩形状の板状部材であり、その大きさは進入用開口部７とほぼ同一である。扉体３０の一方の側辺には蝶番３１，３１が取り付けられており、図２に示すように、扉体３０は蝶番３１，３１を介して固定具１０の板状部材１０ｆに回動可能に取り付けられている。これにより、扉体３０が蝶番３１，３１を中心に回動して、進入用開口部７を開閉するようになっている。
【００３３】
なお、扉体３０は、固定具１０に回動可能に取り付ける方法の他、支柱１に取り付けることもできる。例えば、板状部材１０ｆを省略して、進入用開口部７の周縁の一辺を支柱１で構成するようにして、支柱１に扉体３０を回動可能に取り付けることもできる。また、扉体３０を回動可能な構成とせず、例えば進入用開口部７に嵌着させるような構造にすることもできる。
【００３４】
扉体３０の内側には、操作用開口部３２が形成されている。操作用開口部３２は、作業者が腕を反対側に通すことのできるほどの大きさである。操作用開口部３２にはカバー３３が蝶番３４，３４を介して回動可能に取り付けられている。本実施形態では、蝶番３４，３４を操作用開口部３２の上辺に取り付けることにより、使用しないときには、カバー３３が重力によって自動的に閉じるようにしてある。
【００３５】
扉体３０の他方の側辺には、蝶番３７を介して掛金３５が取り付けられている。また、固定具１０の板状部材１０ｅには、掛金３５に対応する掛金３６が取り付けられる。そして、掛金３５及び掛金３６により、扉体３０を閉じた状態で開かないようにすることができる。掛金３５，３６にはさらに南京錠などを掛けてもよい。なお、扉体３０が開かないようにするための構造は、掛金や閂、鍵等を用いて適宜構成することができる。
【００３６】
扉体３０が開かないようにするための掛金や閂、鍵等を操作する際には、扉体３０に設けられた操作用開口部３２に腕を通して行うことができる。
【００３７】
固定具１０，２０及び扉体３０の材質は金属製や樹脂製など特に限定されないが、例えば、防錆処理を施した鋼材を用いるとよい。
【００３８】
次に、図９を参照して、本実施形態に係るフェンス用扉１００の取付方法について説明する。まず、図９（ａ）に示すように、フェンスの隣接する支柱１，１間の一部を両側から枠状の固定具１０，２０で挟んで固定する。固定具１０と固定具２０は、例えば複数のボルトナットにより、対応する部材・部位同士を両側から締め付けて固定する。
【００３９】
次に、図９（ｂ）に示すように、固定具１０，２０で囲まれた部分の除去対象金網８を切断除去して、進入用開口部７を形成する。このとき、固体具１０，２０の内側の部分に金網の先端が残って飛び出さないように注意する。そして、図９（ｃ）に示すように、形成した進入用開口部７に、開閉可能な扉体３０を取り付ける。
【００４０】
なお、先に不要な金網（除去対象金網８）を切断除去して進入用開口部７を形成して、後から周縁に固定具１０，２０を取り付けることも可能であるが、除去する金網の量の判断や、固定具１０，２０の固定の容易さを考慮すると、先に固定具１０，２０を固定してから不要な金網（除去対象金網８）を切断除去することが好ましい。
【００４１】
本実施形態に係るフェンス用扉１００は、フェンスの隣接する支柱１，１間の一部を除去して形成された進入用開口部７の周縁を固定する枠状の固定具１０，２０と、進入用開口部７に取り付けられた開閉可能な扉体３０とを有しているので、進入用の扉を形成するにあたって、隣接する支柱１，１間の全体を除去する必要がなく、既存のフェンスの部材を有効利用することができる。また、支柱を追加設置する必要がないため、追加部材の材料費等を低減することができ、工期も短縮することができる。
【００４２】
また、扉体３０を固定具１０に回動可能に取り付けた場合には、扉体３０を回動させることにより容易に進入用開口部７を開閉することができる。
【００４３】
また、扉体３０に操作用開口部３２を設けた場合には、操作用開口部３２に腕を通すことにより、扉体３０が開かないようにするための掛金３５，３６や閂、鍵等をフェンスの両側から操作することができるので、フェンスの両側から開閉の可否をコントロールすることができる。
【００４４】
また本実施形態に係るフェンス用扉の取付方法は、フェンスの隣接する支柱１，１間の一部を両側から枠状の固定具１０，２０で挟んで固定し、固定具１０，２０で囲まれた部分を除去して進入用開口部７を形成し、形成した進入用開口部７に開閉可能な扉体３０を取り付けるので、進入用開口部７を形成するために除去する部分を、固定具１０，２０で囲むことにより特定して容易に除去することができる。
【００４５】
以上、本実施形態に係るフェンス用扉及びフェンス用扉の取付方法によれば、高速道路の敷地境界線上に設置される立入防止用フェンスを通過するためのフェンス用扉を、低コスト・短工期で取り付けることができる。従って、既存のフェンスのどこにでも容易に扉を形成することができる。
【００４６】
以上、本発明の実施形態に係るフェンス用扉及びフェンス用扉の取付方法について説明したが、本発明は上述した実施の形態に限定されるわけではなく、その他種々の変更が可能である。
【００４７】
例えば、進入用開口部の大きさ、形状は、フェンスの設置場所や取り付ける扉の使用目的等に応じて、適宜変更してもよい。
【００４８】
また、本実施形態では、隣接する支柱間に金網を張り巡らしたフェンスへの適用について説明したが、これに限らず、その他の材質の網状部材や、格子状部材、縦桟部材のみ、横桟部材のみ等のフェンスにも適用可能である。
【００４９】
また、本実施形態では、高速道路の敷地境界線上に設置される立入防止用フェンスへの適用について説明したが、これに限らず、例えば耕作地の敷地境界上に設置される野生動物侵入防止用フェンス等においても適用可能であり、その他にも長距離に亘って設置されるフェンスへの適用が特に有効である。
【符号の説明】
【００５０】
１  支柱
２  横架材
３  横架材
４  基礎
５  金網
６  支柱
７  進入用開口部
８  除去対象金網
９  管理用扉
１０  固定具
２０  固定具
２１  湾曲部
３０  扉体
３１  蝶番
３２  操作用開口部
３３  カバー
３４  蝶番
３５  掛金
３６  掛金
３７  蝶番
４０  ボルト
５０  ナット
１００  フェンス用扉
【図１】
0006542565.tif 000002
【図２】
0006542565.tif 000003
【図３】
0006542565.tif 000004
【図４】
0006542565.tif 000005
【図５】
0006542565.tif 000006
【図６】
0006542565.tif 000007
【図７】
0006542565.tif 000008
【図８】
0006542565.tif 000009
【図９】
0006542565.tif 000010
【図１０】
0006542565.tif 000011
【図１１】
0006542565.tif 000012